(57)【要約】【課題】  ビジターが多い曜日および時間帯にはビジターを中心とした地名表示の大きい簡略化した道路地図を、また、走行経験者による利用率が高い曜日および時間帯にはその地域における道路を表記した詳細な道路地図を表示する。【解決手段】  道路地図上に地名やルートナンバーが表示された観光地等に設置される地図型案内標識であって、ビジターが多くなる土曜、日祭日、祭り等の催しがある特定日、時間帯等には、地名を大きくした簡略化した道路地図を表示し、走行経験者が多い平日には地名等を小さくした詳細な道路地図を表示するように表示面を変化させるようにした地図型案内標識である。【選択図】        図１
2005350982.tif 000002
【特許請求の範囲】
【請求項１】
道路地図上に地名やルートナンバーが表示された観光地等に設置される地図型案内標識であって、ビジターが多くなる土曜、日祭日、祭り等の催しがある特定日、時間帯等には、地名を大きく表示した簡略化した道路地図を表示し、走行経験者が多い平日には地名等を小さくした詳細な道路地図を表示するように表示面を変化させることを特徴とする地図型案内標識。
【請求項２】
前記表示面が複数に分割された表示体であって、少なくとも一面が地名を大きく表示した面であり、他面が地名を小さく表示した面で形成され、かつ、表示体はモータ等の駆動手段によって変化するようにしたことを特徴とする請求項１記載の地図型案内標識。
【請求項３】
前記表示の切り換えは、予めメモリに切替日を記憶しておき、該メモリによって自動的に行われるようにしたことを特徴とする請求項１記載の地図型案内標識。
【発明の詳細な説明】
【技術分野】
【０００１】
本発明は、平日においては地域住人のように通勤等に道路を利用した経験のある経験者（以下、走行経験者と呼ぶ）が多く使用し、また、土、日祭日等においては観光客等（以下、ビジターと呼ぶ）が多く使用する道路に設置される案内標識であって、かつ、案内標識には道路と地名、ルートマーク等が表示される案内標識において、走行経験者の利用率が高い日と、ビジターの利用率が高い日とで道路地図の表示の仕方を変更するようにした地図型案内標識に関する。
【背景技術】
【０００２】
図案化した道路に地名等が表示された案内標識は、図８に示すように青色や黒色等に塗装された金属板Ａを道路端に立設された支柱Ｂの梁Ｂ１に取付けたものであり、金属板Ａの表面には図案化した道路地図と、該道路地図に沿ってルートナンバーや地名等をほぼ同じ大きさで平面的に表示したものであった。なお、図中の下部に記載されている三角印は現在位置を表示する現在地マークである。
【発明の開示】
【発明が解決しようとする課題】
【０００３】
前記した道路と地名を表示した地図型案内標識についてのアンケート調査をビジターと走行経験者に対して行ったところ、次の結果が得られた。
ビジターの場合には、良く知られた地名から方向を探そうとするため、地図上で目的とする地名を最初に探し、次にルートマークや名所等を表す絵文字（ピクトグラム）を探して走行する傾向が強いことが確認された。
【０００４】
一方、走行経験者の場合には、地名等については周知であるため、道路形状に着目した後、走行しようとする道路を把握する傾向の強いことと、主要道路のみではない、より詳しい道路表示を希望していることが確認された。
【０００５】
以上のように、ビジターと走行経験者とでは必要とする情報が異なるにも拘らず、従来の地図型案内標識の場合にはビジター向けに大きな地名と簡略化された道路を表示するため、走行経験者が多い平日においては、その標識が道路地図として十分に利用されないといった問題があった。
【０００６】
本発明は前記した問題点を解決せんとするもので、その目的とするところは、、ビジターが多い曜日および時間帯にはビジターを中心とした地名表示の大きい簡略化した道路地図を、また、走行経験者による利用率が高い曜日および時間帯にはその地域における道路を表記した詳細な道路地図を表示する地図型案内標識を提供せんとするにある。
【課題を解決するための手段】
【０００７】
本発明の地図型案内標識は前記した目的を達成せんとするもので、請求項１の手段は、道路地図上に地名やルートナンバーが表示された観光地等に設置される地図型案内標識であって、ビジターが多くなる土曜、日祭日、祭り等の催しがある特定日、時間帯等には、地名を大きくした簡略化した道路地図を表示し、走行経験者が多い平日には地名等を小さくした詳細な道路地図を表示するように表示面を変化させるようにしたものである。
【０００８】
請求項２の手段は、前記した請求項１において、前記表示面が複数に分割された表示体であって、少なくとも一面が前記地名を大きく表示した面であり、他面が地名を小さく表示した面で形成され、かつ、表示体はモータ等の駆動手段によって変化するようにしたことを特徴とする。
【０００９】
請求項３の手段は、前記した請求項１において、前記表示の切り換えは、予めメモリに切替日を記憶しておき、該メモリによって自動的に行われるようにしたことを特徴とする。
【発明の効果】
【００１０】
本発明は前記したように、走行経験者の利用率が高い日には、地名等を小さく表示すると共に詳細な道路地図を表示したので、走行経験者が平日等に集中する時には詳細な道路地図を見ることで、多くのルート選択を可能にし、交通量の平準化を図ることができるといった効果がある。また、ビジターの利用率が高い日には、地名やルートナンバー等を大きく表示すると共に簡略化した道路地図を表示するようにしたので、ビジターにとって地名と主要道路の把握が容易となるため、道路選択に戸惑うビジターが少なくなることにより円滑な交通流を確保することができるといった効果がある。
【００１１】
また、表示面を複数に分割した表示体により地図型案内標識を形成する場合には、簡単な構造により安価に案内標識を製作することができるといった効果がある。
【００１２】
さらに、表示体の切替日や切替時刻をメモリに登録することで、自動的に表示内容を変更することができる効果がある。
【発明を実施するための最良の形態】
【００１３】
本発明は、走行経験者による利用率が高い曜日や時間帯には、地名を小さく表示すると共に詳細な道路地図を表示し、また、ビジターの利用率が高い曜日や時間帯には、地名やルートナンバー等を大きく表示すると共に簡略化した道路地図を表示するように表示面を変化させるようにした。
【実施例１】
【００１４】
以下、本発明に係る地図型案内標識の一実施例を図面と共に説明する。
図１は道路地図に沿って描かれた地名やルートナンバーや絵文字（ピクトグラム）が小さく描かれ、平日のような走行経験者が多く利用する日時の表示状態を示し、また、図２は土、日祭日や祭り等の催しがありビジターが多く利用する日時に表示する内容である簡略化した道路地図と、該道路地図に沿って描かれた地名やルートナンバーおよび絵文字を大きく表示した案内標識Ｃであり、従来と同様に道路上に立設された支柱Ｂの梁Ｂ１に取付けられている。
【００１５】
なお、文字の大きさは、前記したアンケートによって得られたビジターにおける情報の取得順序の特性に応じて、地名⇒ルートマーク⇒絵文字の順に小さくしている。これによって、ビジターが最初に必要とする地名に対する情報入手を容易とすると共に、その他の情報を案内標識に近づくに従い適切な大きさで順に入手することを可能とする。
【００１６】
次に、案内標識Ｃの詳細を図３〜図６と共に説明する。
図３、図４は筐体１の構造を示す正面図と側面図にして、該筐体１の前面には上部において蝶番１１ａによって開閉自在に扉１１が取付けられ、該扉１１には透明板１１ｂが取付けられている。また、筐体１内の前面左右には蛍光灯などの照明灯１１ｃが取付けられている。なお、１１ｄは扉１１を筐体１に固定するためのパッチン錠である。
【００１７】
２は表示体本体にして、中心に回転軸２１ａが取付けられ、該回転軸２１ａの下端には傘歯車２１ｂが取付けられ、かつ、回転軸２１ａの上下は前記筐体１内の軸受け１２ｃ（図示では下側のみ示している）に回転自在に軸支された三角柱状の表示体２１が、筐体１内に横方向に複数（実施例では１１個）が並列して取付けられている。
【００１８】
そして、前記三角柱状の表示体２１の一面には詳細な道路地図と、該道路地図に沿って描かれた地名やルートナンバーおよび絵文字が小さく描かれ、また、他の面には簡略化した道路地図と、該道路地図に沿って描かれた地名やルートナンバーおよび絵文字が大きく描かれ、さらに、残りの面には、例えば、「調整中」の表示や交通安全の標語などが描かれるか、あるいは無表示の状態となっている。
【００１９】
なお、多数の表示体２１の三角形の一面が揃うと図５に示すように、僅かな隙間を介して面一状態となり、また、後述するモータ２２によって全ての表示体２１が同期して回転されると、互いに角部が当接することなく回転して、後述する位置検出手段３４の出力でモータ２２が停止して、表示体２１が１２０度回転した位置で停止すると次の面が面一状態となる。
【００２０】
２２は筐体１内の片隅に固定されたモータにして、該モータ２２の出力は減速ギア（図示せず）を介して導出され、導出された出力軸には駆動傘歯車２２ａが取付けられている。また、筐体１内の下部には水平方向に従動軸２２ｂが軸受け２２ｃによって軸受けされており、この従動軸２２ｂには、前記表示体２１の傘歯車２１ｂと噛合する従動傘歯車２２ｄが取付けられている。さらに、前記従動軸２２ｂの端部には、前記駆動傘歯車２２ａと噛合される傘歯車２２ｅが取付けられている。
【００２１】
なお、図３〜図６には図示していないが、筐体１内には図７に示す制御手段３が組み込まれている。すなわち、制御手段３は、管理事務所で走行経験者用の表示と、ビジター用の表示を何時（例えば、平日は走行経験者用、土、日祭日および祭り等の催しがある日はビジター用）切り換えるかを時間も含めて、電話回線等を介して送信されたデータを図示を省略した受信部で受信し記憶するメモリ３１と、日にち、曜日、時間のデータを出力するタイマー３２と、前記モータ２を駆動するためのモータ駆動手段３３と、前記表示体２が回転を始めて１２０度回転したことを検出する位置検出手段３４（例えば、回転する部分に１２０度毎に突起を取付け、該突起が回転することでオンとなるリミットスイッチや、回転部分にスリットが形成された円板を取付け、該円板のスリットをホトカプラで検出するもの等）と予め設定された制御プログラムに従い上記の各部を制御するプロセッサ（ＭＰＵ）３５とから構成されている。
【００２２】
次に、前記した構成に基づいて動作を説明するに、現在の案内標識Ｃにおける表示板２１によって表示されている状態が、走行経験者用に適した内容である図１の表示状態である場合において、管理事務所から送信されメモリ３１に予め記憶された図２の表示に切り換える日時をタイマー３２が計数すると、ＭＰＵ３５から制御信号がモータ駆動手段３３に出力される。
【００２３】
次に、該モータ駆動手段３３からの駆動信号によりモータ２２が回転すると、傘歯車２２ａ，２２ｅを介して従動軸２２ｂが回転されるので、該従動軸２２ｂに固定されている従動傘歯車２２ｄ，２１ｂを介して全ての表示体２１が同期して回転を開始する。そして表示体２１が１２０度回転したことを位置検出手段３４が検出して位置検出信号をＭＰＵ３５に送出すると、ＭＰＵ３５は位置検出信号を判定し、制御したコードと一致したと判定したときモータ駆動手段３３への制御信号を中止しモータ２２を停止させる。
【００２４】
この状態において、全ての表示体２２は面一状態となって、ビジター用に適した内容である図２の表示内容が表示される。さらに、表示体２１を１２０度回転させると、次の表示内容である「調整中」等が表示されたり、無表示状態となるものである。
【００２５】
なお、前記した実施例にあっては、表示体２１を三角柱状のもので説明したが平面状の板の表裏を使用して、図１、図２の表示内容を交互に表示するようにしてもよい。また、モータ２２の駆動をメモリに記憶されている日時によって自動的に駆動して表示内容を変更する場合について説明したが、管理事務所よりの指令信号によって遠隔制御により変更するようにしても、あるいは地図形案内標識の設置場所で手動操作により直接変更するようにしてもよい。さらに、案内標識本体Ｃに変えてＬＥＤ等の発光素子を使用した標識装置を利用して、図１、図２の表示切り換えをＬＥＤの点灯・消灯を制御することで走行経験者用の表示内容とビジター用の表示内容に切り換えるようにしてもよい。
また、上記の三角柱や平面状の構造と発光素子とから表示面を形成するようにしてもよい。
【図面の簡単な説明】
【００２６】
【図１】本発明に係る地図型案内標識を使用して走行経験者用として適した内容を表示した正面図である。
【図２】同上においてビジター用として適した内容を表示した正面図である。
【図３】筐体のみの正面図である。
【図４】同上の平面図である。
【図５】表示体の一部を上面から見た平面図である。
【図６】表示体を駆動する構造を正面側から見た図面である。
【図７】表示体を駆動するための回路ブロック図である。
【図８】従来例の地図型案内標識の正面図である。
【符号の説明】
【００２７】
Ｃ        案内標識
１        筐体
２        案内標識本体
２１      表示体
２２      モータ
３        制御手段
【図１】
2005350982.tif 000003
【図２】
2005350982.tif 000004
【図３】
2005350982.tif 000005
【図４】
2005350982.tif 000006
【図５】
2005350982.tif 000007
【図６】
2005350982.tif 000008
【図７】
2005350982.tif 000009
【図８】
2005350982.tif 000010
【手続補正書】
【提出日】平成16年6月24日(2004.6.24)
【手続補正１】
【補正対象書類名】図面
【補正対象項目名】図１
【補正方法】変更
【補正の内容】
【図１】
2005350982.tif 000011
【手続補正２】
【補正対象書類名】図面
【補正対象項目名】図２
【補正方法】変更
【補正の内容】
【図２】
2005350982.tif 000012